(57)【要約】      （修正有）【課題】磁石材が磁着不能な被固定体に対し、磁石材が取り付けられたボックスティッシュ等の固定対象物を着脱自在に固定できる被磁着具及び被固定体の構造、並びに被磁着具が取り付けられた被固定体に着脱自在に固定できる固定対象物を提供する。【解決手段】磁石材１２が取り付けられたボックスティッシュ１１やタバコ１３等の固定対象物をテーブル（被固定体）に着脱自在に固定するための被磁着具であって、被磁着板５とカバー枠６を備える。被磁着具が取り付けられたテーブル（被固定体）においては、被磁着板５の一面側をテーブル（被固定体）の天板３の下面側に接着し、被磁着板５の周縁部を覆うようにカバー枠６を天板３の下面側に接着する。固定対象物には、被磁着板５の他面側に磁着可能な磁石材１２を取り付ける。【選択図】図７
0003177952.tif 000002
【実用新案登録請求の範囲】
【請求項１】
磁石材が取り付けられた固定対象物を被固定体に着脱自在に固定するための被磁着具であって、
一面側が前記被固定体に接着されると共に、他面側に前記磁石材が磁着可能な被磁着板と、
前記被磁着板の周縁部を覆うように前記被固定体に接着されるカバー枠、
を備えたことを特徴とする被磁着具。
【請求項２】
前記カバー枠が前記被磁着板を介して前記被固定体に接着されるように構成されている請求項１に記載の被磁着具。
【請求項３】
前記被磁着板を挿入可能な挿入用凹部を前記カバー枠の一面側に設けた請求項１又は２に記載の被磁着具。
【請求項４】
前記カバー枠の出隅部を面取りした請求項１から３のいずれかに記載の被磁着具。
【請求項５】
前記カバー枠が柔軟性材料で構成されている請求項１から４のいずれかに記載の被磁着具。
【請求項６】
前記被磁着板の一面側と前記カバー枠の一面側の少なくともいずれかに少なくとも１つの両面テープを貼り付けた請求項１から５のいずれかに記載の被磁着具。
【請求項７】
前記両面テープの剥離フィルムの表面に少なくとも１つの切断線を表示した請求項６に記載の被磁着具。
【請求項８】
請求項１から７のいずれかに記載の被磁着具が取り付けられた被固定体の構造であって、
前記被磁着板の一面側を前記被固定体に接着し、
前記被磁着板の周縁部を覆うように前記カバー枠を前記被固定体に接着した
ことを特徴とする被固定体の構造。
【請求項９】
前記被固定体に凹部を設け、
前記凹部内に前記被磁着板及び前記カバー枠を挿入した
請求項８に記載の被固定体の構造。
【請求項１０】
前記被磁着板と前記カバー枠の少なくともいずれかを前記被固定体にビス止めした請求項８又は９に記載の被固定体の構造。
【請求項１１】
前記被固定体がテーブル類であり、
前記被磁着板の一面側を前記テーブル類の天板の下面側に接着し、
前記被磁着板の周縁部を覆うように前記カバー枠を前記天板の下面側に接着した
請求項８から１０のいずれかに記載の被固定体の構造。
【請求項１２】
請求項８から１１のいずれかに記載の被固定体の構造における前記被固定体に着脱自在に固定される固定対象物であって、
前記被磁着板の他面側に磁着可能な磁石材が取り付けられたことを特徴とする固定対象物。
【請求項１３】
請求項１２に記載の固定対象物に取り付けられた前記磁石材を前記被磁着板の他面側に磁着した請求項８から１１のいずれかに記載の被固定体の構造。
【考案の詳細な説明】
【技術分野】
【０００１】
本考案は、磁石材が取り付けられたボックスティッシュ等の固定対象物をテーブル類等の被固定体に着脱自在に固定するための被磁着具、被磁着具が取り付けられた被固定体の構造、及び被磁着具が取り付けられた被固定体に着脱自在に固定される固定対象物に関するものである。
【背景技術】
【０００２】
従来のこの種の技術としては、冷蔵庫等に磁着可能な磁石材を備えると共に、ボックスティッシュを保持可能なマグネットホルダー（例えば、特許文献１及び特許文献２参照。）等が知られている。
【先行技術文献】
【特許文献】
【０００３】
【特許文献１】実開平６−６９１３９号公報（図１、図２、請求項１、等）
【特許文献２】登録実用新案第３１２３７８４号公報（図１、図３、請求項１、等）
【考案の開示】
【考案が解決しようとする課題】
【０００４】
上記のようなマグネットホルダーを用いた場合には、冷蔵庫等の、磁石材が磁着可能な被固定体にボックスティッシュを固定できるものの、磁石材が磁着不能な被固定体にはボックスティッシュを固定できないという問題点がある。
【０００５】
本考案は、以上のような事情や問題点に鑑みてなされたものであり、磁石材が磁着不能な被固定体に対し、磁石材が取り付けられたボックスティッシュ等の固定対象物を着脱自在に固定できる被磁着具及び被固定体の構造、並びに被磁着具が取り付けられた被固定体に着脱自在に固定できる固定対象物を提供することを目的とする。
【課題を解決するための手段】
【０００６】
上記目的を達成するための第１の考案は、磁石材が取り付けられた固定対象物を被固定体に着脱自在に固定するための被磁着具であって、一面側が前記被固定体に接着されると共に、他面側に前記磁石材が磁着可能な被磁着板と、前記被磁着板の周縁部を覆うように前記被固定体に接着されるカバー枠、を備えたものである。
【０００７】
第２の考案においては、前記カバー枠が前記被磁着板を介して前記被固定体に接着されるように構成されている。
【０００８】
第３の考案は、前記被磁着板を挿入可能な挿入用凹部を前記カバー枠の一面側に設けたものである。
【０００９】
第４の考案は、前記カバー枠の出隅部を面取りしたものである。
【００１０】
第５の考案においては、前記カバー枠が柔軟性材料で構成されている。
【００１１】
第６の考案は、前記被磁着板の一面側と前記カバー枠の一面側の少なくともいずれかに少なくとも１つの両面テープを貼り付けたものである。
【００１２】
第７の考案は、前記両面テープの剥離フィルムの表面に少なくとも１つの切断線を表示したものである。
【００１３】
第８の考案は、第１から第７のいずれかの考案の被磁着具が取り付けられた被固定体の構造であって、前記被磁着板の一面側を前記被固定体に接着し、前記被磁着板の周縁部を覆うように前記カバー枠を前記被固定体に接着したものである。
【００１４】
第９の考案は、前記被固定体に凹部を設け、前記凹部内に前記被磁着板及び前記カバー枠を挿入したものである。
【００１５】
第１０の考案は、前記被磁着板と前記カバー枠の少なくともいずれかを前記被固定体にビス止めしたものである。
【００１６】
第１１の考案は、前記被固定体がテーブル類であり、前記被磁着板の一面側を前記テーブル類の天板の下面側に接着し、前記被磁着板の周縁部を覆うように前記カバー枠を前記天板の下面側に接着したものである。
【００１７】
第１２の考案は、第８から第１１のいずれかの考案における前記被固定体に着脱自在に固定される固定対象物であって、前記被磁着板の他面側に磁着可能な磁石材が取り付けられたものである。
【００１８】
第１３の考案は、第１２の考案の固定対象物に取り付けられた前記磁石材を前記被磁着板の他面側に磁着したものである。
【考案の効果】
【００１９】
第１及び第８の考案によれば、固定対象物に取り付けられた磁石材を被磁着板の他面側に磁着することができる。
【００２０】
第２の考案によれば、カバー枠がストッパーとして機能するので、被磁着板の脱落を防止することができる。
【００２１】
第３の考案によれば、カバー枠を被固定体に接着する際に被磁着板が挿入用凹部内に挿入されるので、カバー枠を被固定体に接着しやすい。
【００２２】
第４及び第５の考案によれば、カバー枠の安全性を向上させることができる。
【００２３】
第６の考案によれば、被磁着板やカバー枠を被固定体に簡単に接着することができる。
【００２４】
第７の考案によれば、ハサミやカッターナイフ等により被磁着板やカバー枠を切断線に沿って切断できるので、被磁着板やカバー枠のサイズを簡単に調節することができる。
【００２５】
第９の考案によれば、被磁着板やカバー枠が邪魔にならない。
【００２６】
第１０の考案によれば、被磁着板やカバー枠の脱落を確実に防止することができる。
【００２７】
第１１の考案によれば、磁石材が取り付けられた固定対象物をテーブル類の天板の下面側に着脱自在に固定できるので、天板の上方のスペースを確保しつつ、天板の下方のデッドスペースを有効活用することができる。
【００２８】
第１２の考案によれば、被磁着具が取り付けられた被固定体に着脱自在に固定することができる。
【００２９】
第１３の考案によれば、磁石材が磁着不能な被固定体に対し、磁石材が取り付けられた固定対象物を着脱自在に固定することができる。
【図面の簡単な説明】
【００３０】
【図１】第１実施形態における被磁着具をテーブルの天板の下面側に取り付ける様子を示す正面図である。
【図２】被磁着板の平面図である。
【図３】カバー枠の平面図である。
【図４】被磁着具をテーブルの天板の下面側に取り付けた状態を示す底面図である。
【図５】図４の要部拡大底面図である。
【図６】被磁着板の周縁部付近の要部拡大断面図である。
【図７】ボックスティッシュとタバコを被磁着板の他面側に磁着する様子を示す要部拡大断面図である。
【図８】タバコの包装フィルム内に磁石材を挿入する様子を示す平面図である。
【図９】第２実施形態における被磁着具をテーブルの天板の下面側に取り付けた状態を示す要部拡大底面図である。
【図１０】第３実施形態における被磁着板とカバー枠を、テーブルの天板の下面側に設けられた凹部内に挿入した状態を示す要部拡大断面図である。
【図１１】第４実施形態における被磁着板とカバー枠を、テーブルの天板の下面側に設けられた凹部内に挿入した状態を示す要部拡大断面図である。
【考案を実施するための形態】
【００３１】
以下、本考案の実施形態を図面に基づいて説明する。
第１実施形態における被固定体の構造は、図１〜図６に示すように、テーブル（被固定体）１に被磁着具２を取り付けたものである。
【００３２】
テーブル１は、天板３と、天板３の下面側に突設された４つの脚部４を備えている。被固定体は、テーブル１等のテーブル類に限定されるものではなく、建物の内壁、キッチンカウンター、家具、飲食店のカウンター等でもよい。ここでいうテーブル類とは、天板と、天板の下面側に突設された少なくとも１つの脚部を備えたものをいう。テーブル類としては、テーブル１の他、机、座卓、電気こたつ等が挙げられる。
【００３３】
被磁着具２は、被磁着板５とカバー枠６を備えている。被磁着板５は、磁石材が磁着可能な金属等で構成されており、平面視形状が長方形状に形成されている。被磁着板の平面視形状は、長方形状に限定されるものではなく、多角形状、円状、楕円状等でもよい。
【００３４】
被磁着板５の一面側には、あらかじめ両面テープ７が貼り付けられている。両面テープ７の剥離フィルム８の表面には、縦横に複数の切断線９が印刷等により表示されている。被磁着板５において、両面テープ７の平面視形状、数、厚さ、貼り付け位置や、切断線９の数、方向、表示位置等は、特に限定されるものではなく、必要に応じて適宜変更可能である。
【００３５】
被磁着板５の一面側は、剥離フィルム８がはがされた両面テープ７ａを介して、テーブル１の天板３の下面側に接着されている。被磁着板５は、両面テープ７ａの代わりに、接着剤等により天板３に接着してもよい。また、両面テープ７ａや接着剤等の代わりに、あるいは両面テープ７ａや接着剤等と共に、被磁着板５を天板３にビス止めしておけば、被磁着板５の脱落を確実に防止できるという利点がある。
【００３６】
カバー枠６は、プラスチック等で構成されており、平面視形状が長方形状に形成されている。カバー枠６の平面視形状も、長方形状に限定されるものではなく、被磁着板５の平面視形状に合わせて適宜変更可能である。
【００３７】
カバー枠６の一面側には、あらかじめ４つの両面テープ７が貼り付けられている。各両面テープ７の剥離フィルム８の表面には、それぞれ複数の切断線９が印刷等により表示されている。また、カバー枠６の一面側には、被磁着板５を挿入可能な挿入用凹部１０が設けられている。カバー枠６においても、両面テープ７の平面視形状、数、厚さ、貼り付け位置や、切断線９の数、方向、表示位置等は、特に限定されるものではなく、必要に応じて適宜変更可能である。
【００３８】
カバー枠６の一面側は、剥離フィルム８がはがされた両面テープ７ａを介して、被磁着板５の周縁部を覆うようにテーブル１の天板３の下面側に接着されている。カバー枠６も、両面テープ７ａの代わりに、接着剤等により天板３に接着してもよい。また、両面テープ７ａや接着剤等の代わりに、あるいは両面テープ７ａや接着剤等と共に、カバー枠６を天板３にビス止めしておけば、カバー枠６の脱落を確実に防止できるという利点がある。
【００３９】
このように、被磁着具１において、被磁着板５の一面側やカバー枠６の一面側にあらかじめ少なくとも１つの両面テープ７を貼り付けておけば、被磁着板５やカバー枠６をテーブル１等の被固定体に簡単に接着できるという利点がある。また、両面テープ７の剥離フィルム８の表面に少なくとも１つの切断線９を表示しておけば、ハサミやカッターナイフ等により被磁着板５やカバー枠６を切断線９に沿って切断できるので、被磁着板５やカバー枠６のサイズを簡単に調節できるという利点がある。更に、カバー枠６の一面側に挿入用凹部１０を設けておけば、カバー枠６をテーブル１等の被固定体に接着する際に被磁着板５が挿入用凹部１０内に挿入されるので、カバー枠６を被固定体に接着しやすいという利点がある。
【００４０】
上記のように構成された被固定体の構造においては、図７に示すように、ボックスティッシュ（固定対象物）１１に取り付けられた磁石材１２や、タバコ（固定対象物）１３に取り付けられた磁石材１２を被磁着板５の他面側に磁着することができる。そのため、磁石材１２が磁着不能な被固定体に対し、ボックスティッシュ１１やタバコ１３等の固定対象物を着脱自在に固定できるという利点がある。
【００４１】
ボックスティッシュ１１に磁石材１２を取り付けるには、磁石材１２を備えた適宜のマグネットホルダー１４をボックスティッシュ１１の下面側の２つの縁部にそれぞれ取り付けたり、磁石材１２を両面テープや接着剤等でボックスティッシュ１１の下面側に貼り付けたりすればよい。
【００４２】
タバコ１３に磁石材１２を取り付けるには、図８に示すように、磁石材１２をタバコ１３の包装フィルム１５内に挿入したり、磁石材１２を両面テープや接着剤等でタバコ１３に貼り付けたりすればよい。
【００４３】
固定対象物としては、ボックスティッシュ１１やタバコ１３の他、ライター、ポケットティッシュ、眼鏡ケース、各種機器のリモコン（リモートコントローラー）、文房具〔鉛筆、ボールペン、消しゴム、ホッチキス（ステープラー）、パンチ、等〕、工具〔カッターナイフ、スケール（物差し）、のこぎり、等〕、電卓、綿棒ケース、血圧計、体温計、爪切り等が挙げられる。磁石材１２は、上記のような従来公知の適宜の手段で固定対象物に取り付けておけばよい。このように、固定対象物に磁石材１２を取り付けておけば、被磁着具２が取り付けられた被固定体に着脱自在に固定できるという利点がある。
【００４４】
ここで、磁石材１２の適宜の角部を図８のように面取りしておけば、磁石材１２をタバコ１３の包装フィルム１５内や、ポケットティッシュの包装フィルムの挿入ポケット内に挿入しやすいという利点がある。また、被固定体がテーブル１等のテーブル類であり、被磁着板５の一面側をテーブル類の天板の下面側に接着し、被磁着板５の周縁部を覆うようにカバー枠６を天板の下面側に接着しておけば、磁石材１２が取り付けられた固定対象物を天板の下面側に着脱自在に固定できるので、天板の上方のスペースを確保しつつ、天板の下方のデッドスペースを有効活用できるという利点がある。
【００４５】
第２実施形態における被固定体の構造は、図９に示すように、第１実施形態において、カバー枠６の出隅部を面取りしたものである。このように、カバー枠６の出隅部を面取りしておけば、カバー枠６の安全性を向上させることができるという利点がある。カバー枠６が柔軟性材料で構成されている場合も、同様の利点がある。柔軟性材料としては、ゴム、熱可塑性エラストマー、軟質プラスチック等が挙げられる。
【００４６】
第３実施形態における被固定体の構造は、図１０に示すように、第１実施形態において、テーブル１の天板３の下面側に凹部１６を設け、凹部１６内に被磁着板５及びカバー枠６を挿入したものである。このように、凹部１６内に被磁着板５及びカバー枠６を挿入しておけば、被磁着板５やカバー枠６が邪魔にならないという利点がある。
【００４７】
第４実施形態における被固定体の構造は、図１１に示すように、第３実施形態において、被磁着板５を介して、挿入用凹部１０が設けられていないカバー枠６をテーブル１の天板３に接着したものである。
【００４８】
被磁着板５の一面側は、接着剤１７で天板３に接着されている。カバー枠６の外周面は、接着剤１７で天板３に接着されている。カバー枠６の一面側は、本実施形態のように、接着剤１７等で被磁着板５の他面側に接着してもよい。このように、被磁着板５を介してカバー枠６を被固定体に接着しておけば、カバー枠６がストッパーとして機能するので、被磁着板５の脱落を防止できるという利点がある。
【産業上の利用可能性】
【００４９】
以上のように、本考案の被磁着具及び被固定体の構造は、磁石材が磁着不能な被固定体に対し、磁石材が取り付けられた固定対象物を着脱自在に固定できるものとして有用である。また、本考案の固定対象物は、被磁着具が取り付けられた被固定体に着脱自在に固定できるものとして有用である。
【符号の説明】
【００５０】
１  テーブル（被固定体）
２  被磁着具
３  天板
５  被磁着板
６  カバー枠
７  両面テープ
８  剥離フィルム
９  切断線
１０  挿入用凹部
１１  ボックスティッシュ（固定対象物）
１２  磁石材
１３  タバコ（固定対象物）
１６  凹部
【図１】
0003177952.tif 000003
【図２】
0003177952.tif 000004
【図３】
0003177952.tif 000005
【図４】
0003177952.tif 000006
【図５】
0003177952.tif 000007
【図６】
0003177952.tif 000008
【図７】
0003177952.tif 000009
【図８】
0003177952.tif 000010
【図９】
0003177952.tif 000011
【図１０】
0003177952.tif 000012
【図１１】
0003177952.tif 000013